(57)【要約】【課題】プログラムの更新システム、プログラム更新機能付き電子機器において、集積回路チップの製造コストを低減する。【解決手段】第１の集積回路チップ１０は、ＵＳＢインターフェース回路１１、圧縮デコーダ１２、ＣＰＵ１３、マスクＲＯＭ１４を持っている。第１の集積回路チップ１０は、ＵＳＢホスト機能付きのマイクロコンピュータと圧縮デコーダ１２をワンチップ化したものである。第２の集積回路チップ２０は、ＣＰＵ２１，ＦＲＯＭ２２を持っており、カーオーディオのシステムを制御するためのシステム・マイクロコンピュータである。そして、第２の集積回路チップ２０に内蔵されたＦＲＯＭ２２を利用して、マスクＲＯＭ１４に格納された制御プログラムの更新を行うようにした。【選択図】図１
2010257367.tif 000002
【特許請求の範囲】
【請求項１】
外部記録媒体とのインターフェースを行うインターフェース回路と、前記インターフェース回路を介して前記外部記録媒体から取り込まれた圧縮データを復元する圧縮デコーダと、前記圧縮デコーダを制御するためのプログラムが格納されたマスクＲＯＭと、前記マスクＲＯＭに格納されたプログラムを実行するＣＰＵと、前記プログラムの更新情報に基づいて、前記マスクＲＯＭに格納されたプログラムを訂正するＲＯＭ訂正回路を有する集積回路チップを有するプログラムの更新システムであって、
前記集積回路チップは、外部にある電気的に書き換え及び読み出し可能な不揮発性メモリとの間でデータ送受信を行い、前記外部記録媒体に格納された前記更新情報を、前記インターフェース回路を通して前記不揮発性メモリに書き込み、前記ＣＰＵが前記マスクＲＯＭに格納されたプログラムを実行する時に、前記ＲＯＭ訂正回路に前記不揮発性メモリに書き込まれた更新情報を転送することにより、前記マスクＲＯＭに格納されたプログラムを更新することを特徴とするプログラムの更新システム。
【請求項２】
前記更新情報は、前記プログラムの訂正すべきアドレスを示す訂正アドレスと、該訂正アドレスに対応した訂正データとを含み、
ＲＯＭ訂正回路は、前記不揮発性メモリから転送された前記訂正アドレス及び前記訂正データを一時的に保持する保持回路と、
前記ＣＰＵから出力されるアドレスが前記保持回路に保持された訂正アドレスと一致した時に前記保持回路に保持された前記訂正データを出力し、前記ＣＰＵから出力されるアドレスが前記保持回路に保持された訂正アドレスと一致しない時には、前記マスクＲＯＭに格納された前記アドレスに対応するプログラムデータを出力する選択回路と、を備え、
前記選択回路の出力を前記ＣＰＵに供給することを特徴とする請求項１に記載のプログラムの更新システム。
【請求項３】
前記保持回路は、ＲＡＭであることを特徴とする請求項１又は２に記載のプログラムの更新システム。
【請求項４】
前記インターフェース回路は、ＵＳＢとのインターフェースを行うＵＳＢインターフェース回路であることを特徴とする請求項１乃至３のいずれかに記載のプログラムの更新システム。
【請求項５】
前記不揮発性メモリは、フラッシュメモリであることを特徴とする請求項１乃至４のいずれかに記載のプログラムの更新システム。
【請求項６】
外部記録媒体とのインターフェースを行うインターフェース回路と、前記インターフェース回路を介して前記外部記録媒体から取り込まれた圧縮データを復元する圧縮デコーダと、前記圧縮デコーダを制御するための第１のプログラムが格納されたマスクＲＯＭと、前記マスクＲＯＭに格納されたプログラムを実行する第１のＣＰＵと、前記第１のプログラムの更新情報に基づいて、前記マスクＲＯＭに格納された第１のプログラムを訂正するＲＯＭ訂正回路と、を備えた第１の集積回路チップを備え、
前記第１の集積回路チップは、電気的に書き換え及び読み出しが可能な不揮発性メモリと、前記不揮発性メモリに格納され、電子機器のシステム全体を制御するための第２のプログラムを実行する第２のＣＰＵと、を含む第２の集積回路チップとの間でデータ送受信が可能であり、
前記外部記録媒体に前記更新情報データを格納し、前記外部記録媒体に格納された更新情報を、前記インターフェース回路を通して前記不揮発性メモリに書き込み、前記ＣＰＵが前記マスクＲＯＭに格納された第１のプログラムを実行する時に、前記ＲＯＭ訂正回路に前記不揮発性メモリに書き込まれた更新情報を転送することにより、前記マスクＲＯＭに格納された第１のプログラムを更新することを特徴とするプログラム更新機能付き電子機器。
【請求項７】
前記更新情報は、前記プログラムの訂正すべきアドレスを示す訂正アドレスと、該訂正アドレスに対応した訂正データとを含み、
ＲＯＭ訂正回路は、前記不揮発性メモリから転送された前記訂正アドレス及び前記訂正データを一時的に保持する保持回路と、
前記ＣＰＵから出力されるアドレスが前記保持回路に保持された訂正アドレスと一致した時に前記保持回路に保持された前記訂正データを出力し、前記ＣＰＵから出力されるアドレスが前記保持回路に保持された訂正アドレスと一致しない時には、前記マスクＲＯＭに格納された前記アドレスに対応するプログラムデータを出力する選択回路と、を備え、
前記選択回路の出力を前記ＣＰＵに供給することを特徴とする請求項６に記載のプログラム更新機能付き電子機器。
【請求項８】
前記保持回路は、ＲＡＭであることを特徴とする請求項６又は７に記載のプログラム更新機能付き電子機器。
【発明の詳細な説明】
【技術分野】
【０００１】
本発明は、プログラムの更新システム、プログラム更新機能付き電子機器に関する。特に、ＵＳＢメモリ等から取り込んだ圧縮データの復元を行うために用いられる制御プログラムを更新（バージョンアップ）する機能を備えたシステム、電子機器に関する。
【背景技術】
【０００２】
近年のカーオーディオ等の電子機器においては、ＵＳＢメモリやｉＰｏｄ（ｉＰｏｄは、アップル  インコーポレイテッドの登録商標である）等の外部記録媒体に格納された圧縮データが電子機器に取り込まれる。圧縮データのフォーマットとしては、標準化されたＭＰ３、ＷＭＡ、ＡＡＣ等の音声ファイルフォーマットが採用されている。そして、圧縮データは、電子機器内の圧縮デコーダにより復元され、更にスピーカ等を介して音声として再生される。この時、ＵＳＢホスト機能を持ったマイクロコンピュータが圧縮デコーダの制御プログラムを実行する。
【０００３】
この場合、電子機器の出荷当初に市販されていたＵＳＢメモリと電子機器とのコネクタビリティの動作確認はできている。つまり、ＵＳＢメモリから取り込んだ圧縮データは圧縮デコーダにより、正常に復元される。しかしながら、出荷後に発売されるＵＳＢメモリにおいては、圧縮データのスペック（例えば、データ出力のタイミング）が変更されることがある。そうすると、出荷後に発売されるＵＳＢメモリから圧縮データを取り込む場合、出荷当初の制御プログラムによっては圧縮デコーダを制御できず、圧縮データの復元ができないという問題がある。
【０００４】
そこで、電子機器内にフラッシュＲＯＭ（電気的に書き換え及び読み出し可能な不揮発性メモリ、以下ＦＲＯＭという）を内蔵し、このＦＲＯＭを使って制御プログラムの書き換えを行っていた。
【０００５】
即ち、電子機器の出荷段階で、ＦＲＯＭにＵＳＢメモリに対応した制御プログラムが書き込まれる。その後に新たなバージョンのＵＳＢメモリが発売された場合に、そのＵＳＢメモリに制御プログラムの更新情報を入力する。そして、この更新情報をＦＲＯＭに書き込むことにより、制御プログラムの書き換え（更新）を行っていた。
【０００６】
なお、ＦＲＯＭを用いて電子機器の制御プログラムを書き換える方法は、特許文献１〜４に記載されている。
【先行技術文献】
【特許文献】
【０００７】
【特許文献１】特開２００６−２４３９９７号公報
【特許文献２】特開２００４−１５１８３１号公報
【特許文献３】特開２００２−１５７１３６号公報
【特許文献４】特開平９−２６５３９１号公報
【発明の概要】
【発明が解決しようとする課題】
【０００８】
近年、実装面積の縮小化等のために、集積回路チップの統合化が進んでいる。そこで、上述の制御プログラムの更新機能を持った電子機器においても、ＵＳＢホスト機能を持ったマイクロコンピュータ、ＦＲＯＭ及び圧縮デコーダをワンチップ化することが考えられる。しかしながら、この場合にはワンチップ全体をＦＲＯＭプロセス（ＦＲＯＭを形成するために必要な製造プロセス）を使用して製造しなければならず、チップコストが高くなるという問題があった。
【０００９】
即ち、圧縮デコーダやマイクロコンピュータの本体（ＣＰＵ、ＲＡＭ等）は、本来はＦＲＯＭプロセスを使用する必要はないが、ＦＲＯＭとワンチップ化するためにはＦＲＯＭプロセスを使用しなければならない。ところが、ＦＲＯＭプロセスはロジック回路を製造するためのロジックプロセスと比較して、マスク数が多く、熱処理量も多いことから素子の微細化にも適していない。そのため、ワンチップになってもチップサイズが大きくなって、チップコストが高くなる。
【課題を解決するための手段】
【００１０】
本発明のプログラムの更新システムは、外部記録媒体とのインターフェースを行うインターフェース回路と、前記インターフェース回路を介して前記外部記録媒体から取り込まれた圧縮データを復元する圧縮デコーダと、前記圧縮デコーダを制御するためのプログラムが格納されたマスクＲＯＭと、前記マスクＲＯＭに格納されたプログラムを実行するＣＰＵと、前記プログラムの更新情報に基づいて、前記マスクＲＯＭに格納されたプログラムを訂正するＲＯＭ訂正回路を有する集積回路チップを有するプログラムの更新システムであって、前記集積回路チップは、外部にある電気的に書き換え及び読み出し可能な不揮発性メモリとの間でデータ送受信を行い、前記外部記録媒体に格納された前記更新情報を、前記インターフェース回路を通して前記不揮発性メモリに書き込み、前記ＣＰＵが前記マスクＲＯＭに格納されたプログラムを実行する時に、前記ＲＯＭ訂正回路に前記不揮発性メモリに書き込まれた更新情報を転送することにより、前記マスクＲＯＭに格納されたプログラムを更新することを特徴とする。
【００１１】
また、本発明のプログラム更新機能付き電子機器は、外部記録媒体とのインターフェースを行うインターフェース回路と、前記インターフェース回路を介して前記外部記録媒体から取り込まれた圧縮データを復元する圧縮デコーダと、前記圧縮デコーダを制御するための第１のプログラムが格納されたマスクＲＯＭと、前記マスクＲＯＭに格納されたプログラムを実行する第１のＣＰＵと、前記第１のプログラムの更新情報に基づいて、前記マスクＲＯＭに格納された第１のプログラムを訂正するＲＯＭ訂正回路と、を備えた第１の集積回路チップを備え、前記第１の集積回路チップは、電気的に書き換え及び読み出しが可能な不揮発性メモリと、前記不揮発性メモリに格納され、電子機器のシステム全体を制御するための第２のプログラムを実行する第２のＣＰＵと、を含む第２の集積回路チップとの間でデータ送受信が可能であり、前記外部記録媒体に前記更新情報データを格納し、前記外部記録媒体に格納された更新情報を、前記インターフェース回路を通して前記不揮発性メモリに書き込み、前記ＣＰＵが前記マスクＲＯＭに格納された第１のプログラムを実行する時に、前記ＲＯＭ訂正回路に前記不揮発性メモリに書き込まれた更新情報を転送することにより、前記マスクＲＯＭに格納された第１のプログラムを更新することを特徴とする。
【発明の効果】
【００１２】
本発明によれば、プログラムの更新システム、プログラム更新機能付き電子機器において、集積回路チップの製造コストを低減することができる。
【図面の簡単な説明】
【００１３】
【図１】本発明の実施形態によるプログラムの更新システム、プログラム更新機能付き電子機器のブロック図である。
【図２】ＲＯＭ訂正回路のブロック図である。
【図３】ＲＯＭ訂正回路の動作例を示すタイミング図である。
【図４】ＲＯＭ訂正回路の動作例を示す図である。
【発明を実施するための形態】
【００１４】
本発明の実施形態によるプログラムの更新システム、プログラム更新機能付き電子機器について、図面に基づいて説明する。以下では、本発明の実施形態についてカーオーディオを例にとって説明する。
【００１５】
［カーオーディオのシステム構成］
まず、図１を参照して、カーオーディオのシステム構成を説明する。第１の集積回路チップ１０は、ＵＳＢインターフェース回路１１、圧縮デコーダ１２、ＣＰＵ１３、マスクＲＯＭ１４、ＲＡＭ１５を持っている。
【００１６】
即ち、第１の集積回路チップ１０は、ＵＳＢホスト機能付きのマイクロコンピュータと圧縮デコーダ１２をワンチップ化したものである。特に、第１の集積回路チップ１０には、圧縮デコーダ１２の動作を制御するための制御プログラム（更新前）を格納するためのメモリとして、ＦＲＯＭではなく、マスクＲＯＭ１４が内蔵されている。
【００１７】
マスクＲＯＭ１４は、マスク切り替え方式の読み出し専用不揮発性メモリであり、イオン注入マスク、メタルマスク、コンタクトマスク等の切り替えにより、ＲＯＭコーディングが行われるメモリであって、データの書き換えはできないが、ＦＲＯＭに比して安価なプロセスであり、微細化も可能である。また、ＲＡＭ１５（Random Access Memory）は、
データを一時的に記録するメモリであって、電源がオフによりその記録データは消失する。
【００１８】
ＵＳＢインターフェース回路１１は、第１の集積回路チップ１０とＵＳＢメモリ３１やｉＰｏｄ３２等の外部記録媒体との間のインターフェースを行う回路であり、例えば、ＵＳＢメモリ３１から送信されて来るシリアルデータを第１の集積回路チップ１０の内部で処理可能なデータ形式に変換する機能８例えば、ＵＳＢのシリアルデータをパラレルデータに変換する）を持っている。ＵＳＢメモリ３１やｉＰｏｄ３２等は、ＵＳＢケーブル３３を介してＵＳＢインターフェース回路１１に接続されるようになっている。
【００１９】
圧縮デコーダ１２は、ＵＳＢインターフェース回路１１を介して入力されたＵＳＢメモリ３１等からの圧縮データ（この場合、ＭＰ３、ＷＭＡ、ＡＡＣ等の音声ファイルフォーマットにより作成されている）を復元する。
【００２０】
また、ＵＳＢインターフェース回路１１、圧縮デコーダ１２、ＣＰＵ１３、マスクＲＯＭ１４、ＲＡＭ１５は、バス１６を介して、互いにデータ等の送受信が可能に構成されている。さらに、第１の集積回路チップ１０の外部にＤＲＡＭ３４が設けられている。ＤＲＡＭ３４は、ＵＳＢインターフェース回路１１から転送されてきたデータを一括して保持するバッファメモリとして利用できる。
【００２１】
一方、第２の集積回路チップ２０は、第１の集積回路チップ１０とは別の半導体チップであり、ＣＰＵ２１、ＦＲＯＭ２２、ＲＡＭ２３を持っており、カーオーディオのシステム全体を制御するためのシステム・マイクロコンピュータである。ＣＰＵ２１，ＦＲＯＭ２２、ＲＡＭ２３は、バス２４を介して、互いにデータ等の送受信が可能に構成されている。即ち、第２の集積回路チップ２０は、チューナー４１、電子ボリューム４２、パワーアンプ４３、ＬＣＤドライバー４４の動作を制御する。
【００２２】
例えば、第２の集積回路チップ２０はＬＣＤドライバー４４に表示信号と表示命令を送る。ＬＣＤドライバー４４はそれらに応じて、ＬＣＤパネル４６を駆動する。これにより、所定のＬＣＤ表示が行われるようになっている。
【００２３】
また、第２の集積回路チップ２０からの命令に基づいて、圧縮デコーダ１２によって復元された音声信号は電子ボリューム４２に入力され、その音量が調整される。電子ボリューム４２によって音量調整された音声信号は、パワーアンプ４３で増幅される。パワーアンプにより増幅された音声信号はスピーカ４５を介して音声として再生される。
【００２４】
［制御プログラムの更新］
以下、第１の集積回路チップ１０のマスクＲＯＭ１４に格納された制御プログラムを更新する動作例について説明する。先ず、ユーザー等はＵＳＢメモリ３１に制御プログラムの更新情報を入力する。
【００２５】
そして、ＵＳＢメモリ３１がＵＳＢケーブル３３を介してＵＳＢインターフェース回路１１に接続されると、ＵＳＢメモリ３１とＵＳＢインターフェース回路１１の間でＵＳＢ通信プロトコルに従った通信が行われる。つまり、第１の集積回路チップ１０は、ＵＳＢメモリ３１が接続されたことを認識し、ＵＳＢメモリ３１から更新情報や圧縮データをＵＳＢインターフェース回路１１に転送することが可能な状態設定を行う。
【００２６】
その後、ＵＳＢメモリ３１に格納された更新情報はＵＳＢインターフェース回路１１を通して、第２の集積回路チップ２０のＦＲＯＭ２２に書き込まれる。この場合、ＵＳＢインターフェース回路１１を通して入力された更新情報をバッファメモリであるＤＲＡＭ（ダイナミック型ＲＡＭ）３４に一旦格納しても良い。これにより、ＤＲＡＭ３４に格納された更新情報は、一括してＦＲＯＭ２２に転送することができるので、第１の集積回路チップ１０からＦＲＯＭ２２への更新情報の転送時間を短縮することができる。
【００２７】
次に、ＣＰＵ１３は制御プログラムを実行することにより、ＵＳＢメモリ３１に格納された圧縮データを、ＵＳＢインターフェース回路１１を介して取り込み、圧縮デコーダ１２が信号処理できるデータ形式に変換する。変換された圧縮データは圧縮デコーダ１２に転送され、復元される。
【００２８】
この時、ＣＰＵ１３は、マスクＲＯＭ１４に格納された制御プログラムを実行することになるが、この実行の最中に制御プログラムが自動更新される。即ち、ＦＲＯＭ２２に書き込まれた更新情報は第１の集積回路チップ１０に転送され、第１の集積回路チップ１０のＲＯＭ訂正機能により、マスクＲＯＭ１４に格納されたプログラムが更新される。この場合も、ＦＲＯＭ２２に書き込まれた更新情報を第２の集積回路チップ２０のＲＡＭ２３に一旦格納してから転送しても良い。これにより、ＲＡＭ２３に格納された更新情報を一括して第１の集積回路チップ１０に転送することができる。
【００２９】
このように、本実施形態によれば、第１の集積回路チップ１０はＦＲＯＭを持たないので、ＵＳＢホスト機能付きのマイクロコンピュータと圧縮デコーダ１２をワンチップ化して、これを安価なロジックプロセスで製造することができる。
【００３０】
一方、第２の集積回路チップ２０である、システム・マイクロコンピュータにおいては、リードタイムの短縮やプログラムのデバッグの迅速化のために、ＦＲＯＭ２２を使用している。
【００３１】
そこで、本実施形態では、システム・マイクロコンピュータに内蔵されたＦＲＯＭ２２を利用して、マスクＲＯＭ１４に格納された制御プログラムの更新を行うようにした。これにより、制御プログラムの更新機能を持ったカーオーディオにおいて、ワンチップ化を行いながら、製造コストを低減することができる。
【００３２】
ＲＯＭ訂正機能を実現するための構成（ＲＯＭ訂正回路）については、後で詳しく説明するが、第２の集積回路チップ２０のＦＲＯＭ２２に書き込まれた更新情報を第１の集積回路チップ１０のＲＡＭ１５に転送し、このＲＡＭ１５に一時的に保持された更新情報に基づいて、マスクＲＯＭ１４から出力されたデータを訂正（置換）する。
【００３３】
尚、本実施形態においては、ＵＳＢメモリ３１から更新情報、圧縮データをダウンロードする場合について説明したが、ｉＰｏｄ３２や、ＳＤカード等の他の外部記録媒体からそれらのデータをダウンロードしても良い。
【００３４】
［ＲＯＭ訂正回路の構成］
次に、ＲＯＭ訂正回路の構成例を図２に基づいて説明する。このＲＯＭ訂正回路は、ＣＰＵ１３、マスクＲＯＭ１４、ＲＡＭ１５（本発明の「保持回路」の一例）及び選択回路（マルチプレクサ）１７からなる。この場合、制御プログラムの更新情報は、制御プログラムの訂正すべきアドレス（つまり、元の制御プログラムの訂正箇所）を示す訂正アドレス（データ）と、該訂正アドレスに対応した訂正データとを含む。
【００３５】
訂正アドレス／訂正データは、上述のように、第２の集積回路チップ２０のＦＲＯＭ２２に書き込まれる。ＦＲＯＭ２２に格納された訂正アドレス／訂正データは、第１の集積回路チップ１０のＲＡＭ１５に転送され、一時的に保持される。
【００３６】
ＣＰＵ１３は、プログラムカウンタを内蔵しており、このプログラムカウンタからマスクＲＯＭ１４をアクセスするためのアドレスが順番に出力される。これにより、マスクＲＯＭ１４は当該アドレスに対応したプログラムデータ（ＲＯＭコード）を出力する。ＣＰＵ１３からのアドレスは、マスクＲＯＭ１４だけでなく、ＲＡＭ１５にも出力される。
【００３７】
選択回路１７は、ＣＰＵ１３から出力されるアドレスがＲＡＭ１５によって保持された訂正アドレスと一致した時に訂正データを出力する。また、ＣＰＵ１３から出力されるアドレスがＲＡＭ１５によって保持された訂正アドレスと一致しない時には、マスクＲＯＭ１４に格納された前記アドレスに対応するプログラムデータを出力する。
【００３８】
尚、ＣＰＵ１３から出力されるアドレスと訂正アドレスの一致検出は、ＣＰＵ１３（ＡＬＵ）の演算機能を用いてソフトウエアで実行しても良いし、ハードウエアとしての一致検出回路を設けても良い。
【００３９】
従って、選択回路１７からは、更新情報に基づいて更新（バージョンアップ）された制御プログラムが出力され、その制御プログラムはＣＰＵ１３に入力される。これにより、ＣＰＵ１３は、更新された制御プログラムを実行することになるので、圧縮デコーダ１２を正常に動作させ、圧縮データを復元することが可能になる。
【００４０】
［ＲＯＭ訂正回路の動作例］
次に、図２のＲＯＭ訂正回路の動作例を図３、図４に基づいて説明する。図３に示すように、クロックＣＬＫに同期して、ＣＰＵ１３からアドレスが出力され、そのアドレスに対応したプログラムデータがマスクＲＯＭ１４から出力される。この場合、アドレス３０１，３０２，３０３，３０４が訂正アドレスである。
【００４１】
訂正アドレス３０１，３０２，３０３，３０４に対応したＲＯＭ出力は７５，８０，９２，２０であり、これが更新前の間違ったプログラムデータ（バグデータ）である。ＲＯＭ訂正回路は、間違ったプログラムデータ７５，８０，９２，２０を訂正データ９５，２２，８０，２１に置き換える。そして、訂正データ９５，２２，８０，２１は、選択回路１７を介して、ＣＰＵ１３に入力される。
【００４２】
訂正アドレス以外のアドレス、例えば、アドレス３０５〜３０９については、ＲＯＭ出力は００，８４，７５，０２である。これらは正しいプログラムデータであるため、訂正データはない。したがって、ＲＯＭ出力００，８４，７５，０２は、選択回路１７を介して、そのままＣＰＵ１３に入力される。
【００４３】
このように、ＲＯＭ訂正回路はバグデータを訂正データに置換するが、そのような置換は、制御プログラムの複数箇所で行うこともできる。即ち、図４に示すように、制御プログラムの中で、３箇所のバグデータ１〜３は、訂正データ１〜３に置換される。
【００４４】
尚、本実施形態は、カーオーディオを例にとって説明したが、本発明はそれに限らず、制御プログラムにより圧縮データ（音声ファイルフォーマットに限らず、映像ファイルフォーマットを含む）を復元する圧縮デコーダを持った他の音響機器、映像機器にも適用することができる。
【符号の説明】
【００４５】
１０  第１の集積回路チップ      １１  ＵＳＢインターフェース回路
１２  圧縮デコーダ      １３  ＣＰＵ      １４  マスクＲＯＭ
１５  ＲＡＭ      ２０  第２の集積回路チップ      ２１  ＣＰＵ
２２  ＦＲＯＭ      ２３  ＲＡＭ      ２４  バス
３１  ＵＳＢメモリ      ３２  ｉＰｏｄ      ３３  ＵＳＢケーブル
３４  ＤＲＡＭ    ４１  チューナー      ４２  電子ボリューム
４３  パワーアンプ      ４４  ＬＣＤドライバー      ４５  スピーカ
４６  ＬＣＤパネル
【図１】
2010257367.tif 000003
【図２】
2010257367.tif 000004
【図３】
2010257367.tif 000005
【図４】
2010257367.tif 000006